(57)【特許請求の範囲】
【請求項１】
少なくともプリンタ印字可能な表示面基材と人体に接する裏面基材を貼りあわせてなる積層体であって、裏面基材がエチレン−メタクリル酸メチル共重合体からなることを特徴とする、表示バンド用積層体。
【請求項２】
表示面基材および裏面基材の厚みがそれぞれ１２０μｍ以下である請求項1に記載の表示バンド用積層体。
【請求項３】
表示面基材が密度１．０ｇ／ｃｍ3以下の合成紙である請求項1または２のいずれかに記載の表示バンド用積層体。
【請求項４】
請求項1ないし３の積層体の表面基材上に必要に応じプリンタ印字を施し、不要な部分を切除し、短冊状部材を人体に巻着した上で、係止手段により係止し、使用する表示バンド。
【発明の詳細な説明】
【技術分野】
【０００１】
本発明は表示バンド用積層体等に関し、さらに詳しくは、表面に個別情報の印字が可能で、医療機関、娯楽施設等で個人識別用として手首、足首等へ取り付けられる、安価で軽量、印字走行性が良好な表示バンド用積層体および表示バンドに関するものである。
【背景技術】
【０００２】
近年、医療機関、娯楽施設等で個人を識別するために表示バンドが用いられるようになってきている。特に最近では、医療機関などにおいて、医療事故防止のため、入院患者の情報を元に、個人識別用の情報をプリンタ印字し記録した表示バンドの需要が増加してきている。しかしながら、これまでの表示バンドにおいては、安価で軽量、印字走行性が良好な表示バンド用積層体が得られていなかった。
【０００３】
特許文献１には３層構成のリストバンドが提案されているが、部品点数が多く、生産工程も多いので、コスト的に高価であり、汎用性に欠けるものであった。
【０００４】
特許文献２には、人体への接触面の素材としてエチレンメタクリル酸共重合体を使用したリストバンドが提案されているが、エチレンメタクリル酸共重合体はその分子鎖中にカルボキシル基を含んでいるため、プリンタによる印字に伴って金属等への接着による走行不良の懸念があり、問題のあるものであった。
【特許文献１】特開２００３−１６４３０７号公報
【特許文献２】特開２００７−１７６０３３号公報
【発明の開示】
【発明が解決しようとする課題】
【０００５】
本発明は、表面に個別情報の印字が可能で、医療機関、娯楽施設等で個人識別用として手首、足首等へ取り付けられる、安価で軽量、印字走行性が良好な表示バンド用積層体および表示バンドを得ることなどを本発明の目的とし、そのような課題の解決手段を提案するものである。
【課題を解決するための手段】
【０００６】
本発明は、上記課題を解決するために、裏面基材としてエチレン−メタクリル酸メチル共重合体を採用することなどにより、上記課題を解決しうることを見いだし、かかる知見に基づいて完成されたものである。
すなわち、本発明は、
「１．少なくともプリンタ印字可能な表示面基材と人体に接する裏面基材を貼りあわせてなる積層体であって、裏面基材がエチレン−メタクリル酸メチル共重合体からなることを特徴とする、表示バンド用積層体。
２．表示面基材および裏面基材の厚みがそれぞれ１２０μｍ以下である第１項に記載の表示バンド用積層体。
３．表示面基材が密度１．０ｇ／ｃｍ3以下の合成紙である第１項または第２項のいずれかに記載の表示バンド用積層体。
４．第１項ないし第３項の積層体の表面基材上に必要に応じプリンタ印字を施し、不要な部分を切除し、短冊状部材を人体に巻着した上で、係止手段により係止し、使用する表示バンド。」に関する。
【発明の効果】
【０００７】
上記表示バンド用積層体および表示バンドによれば、表面に個別情報の印字が可能で、医療機関、娯楽施設等で個人識別用として手首、足首等へ良好に取り付けられる、安価で軽量、印字走行性が良好な表示バンド用積層体等を得ることができる優れた効果を奏するものである。また、必要強度を備えつつ、不要になった際には比較的容易に破断し廃棄することができるなど、優れた効果を奏するものである。
【発明を実施するための最良の形態】
【０００８】
本発明の表示バンド用積層体は、少なくともプリンタ印字可能な表示面基材と人体に接する裏面基材を貼りあわせてなる積層体であって、人体に接する裏面基材がエチレン−メタクリル酸メチル共重合体からなることを特徴とする。
【０００９】
少なくとも、プリンタ印字可能な印字適正を備えた表示面基材とエチレン−メタクリル酸メチル共重合体からなる裏面基材という２層構成にすることで製造工程を簡略化でき安価なものを作製することができる。
【００１０】
プリンタ印字可能な印字適正を備えた表示面基材としては、合成紙が好適に用いられる。合成紙には、ポリプロピレン（ＰＰ）系やポリエステル（ＰＥＴ）、あるいはポリスチレン（ＰＳ）系の材料があり、いずれも使用することができる。具体的には、ＰＰと無機充填材を主原料とし、二軸延伸フィルム成型法によりミクロボイドを発生させながら成膜した「ユポ（商品名）」（王子油化合成紙株式会社）や、ＰＰやＰＥＴ、ＰＳなどのフィルムをベースとし、表面に白色ピグメントを塗工し、多孔質構造でインキの吸収性に優れる「ピーチコート（商品名）」（日清紡績株式会社）などが挙げられる。その他の材料も印字特性等を備えていれば使用可能であるが、耐水性、装着性などの観点から合成紙が最適である。
【００１１】
裏面基材は、エチレン−メタクリル酸メチル共重合体を使用する。エチレン−メタクリル酸メチル共重合体は、柔軟でプリンタ印字走行性が良好な表示バンド用積層体を作製するのに好適な材料である。特許文献２に挙げられたようなエチレン−メタクリル酸共重合体も柔軟な材料ではあるが、その分子鎖中にカルボキシル基を含んでいるため、プリンタによる印字に伴って金属等への接着による走行不良の懸念がある。一方、エチレン−メタクリル酸メチル共重合体は、メチルエステルになっているため、カルボキシル基のような極性の影響による走行不良の懸念がなく、柔軟で印字走行性が良好なものを得ることができる。
【００１２】
また、表示バンド用積層体の製造にあたっては、長手方向にテンションをかけながら複層構造を接着していくが、その際、伸び率の違いなどによりテンションを解除した後の積層体に素材ごとの復元力がかかる。その結果、得られた表示バンド用積層体にカール加工をすることができる。該カール加工によれば、自然な形態で人体に巻着することができるので、好ましい形態となる。
【００１３】
本発明のように、人体に接する側の裏面基材がエチレン−メタクリル酸メチル共重合体からなる表示バンド用積層体という構成にすれば、該カール加工を特別な意識をすることなく施すことが可能となるため、好ましい。
【００１４】
エチレン−メタクリル酸メチル共重合体におけるメタクリル酸メチルの含量が１０〜３５％であると好ましく、１５〜２５％であるとより好ましく、２０〜２５％であるとさらに好ましい。コモノマー含量、すなわちメタクリル酸メチルの含量が増加すると、柔軟性が上がり、下がると引っ張り破壊応力が上がるが、この範囲であれば柔軟性と強度とのバランスが良く、より好ましい形態となる。
【００１５】
また、表示面基材および裏面基材の厚みがそれぞれ１２０μｍ以下、総厚が２５０μｍ以下であると、原材料の絶対量を押えられ安価にできるとともに全体的な柔軟性が向上する上、全体重量も軽減できるので、好ましい。なお、裏面基材には抗菌処理及びエンボス加工を施しても良い。
【００１６】
また、複層化にあたっては二種以上の材料を接着剤を用いて一体化する。接着剤は、耐水性があり肌に触れても影響がないものを使用するとよい。表示バンドは直接、人体に貼り付けるものではないが安全性の観点から医療用接着剤等の安全性の高いものを用いるのが好ましい。医療用接着剤には、一般に、アクリル系やウレタン系、あるいはゴム系、シリコン系、ビニルエーテル系の接着剤が用いられる。入浴の際に剥がれないような耐水性のある接着剤を用いることが好ましい。
【００１７】
また、表示面基材が密度１．０ｇ／ｃｍ3以下の合成紙であることでも重量を軽減できる。最適なのは、ＰＰと無機充填材を主原料とし、二軸延伸フィルム成型法によりミクロボイドを発生させながら成膜した「ユポ（商品名）」（王子油化合成紙株式会社）である。
【００１８】
表示バンド用積層体は、通常プリンタ印字しやすいように、図示したように表示バンドにガイド枠を設けた長尺形態となっている。表示バンドとして使用する際には、必要な情報をプリンタ印字後、不要なガイド部分を切除し、図示したような短冊状部材を人体に巻着した上で、係止手段により係止し、使用する。その際、図のように膨出部を設けた短冊状部材としてもよいし、膨出部のない形態としてもよい。また、係止にあたっては、別途適切な係止具を使用することもできる。
【００１９】
次に、表示バンド用積層体および表示バンドの使用方法について説明する。帯状にスリットされ、支管に巻回してある表示バンド用積層体を熱転写印字プリンタに通して所定事項の印字を行う。プリンタは、あらかじめ患者の氏名等の特定事項を入力しておき、バーコードや文字を所定のフォーマットでモノクロまたはカラー出力できるものが好ましい。入浴等の必要から耐水性の印字をするものであればなお好ましい。
【００２０】
印字した後、図２のように、表示バンド用積層体１から表示バンド２を抜き取り、手首などの人体の一部を囲むようにして、両端の穴位置を合わせ、係止具(図示せず)により係止する。この際、係止具を用いてもよいし、粘着剤等により係止してもよい。
【００２１】
表示バンド用積層体の製造方法について説明する。まず、表示面基材１−１および裏面基材１−３とを長手方向にテンションをかけながら接着剤１−２を用いて複層構造に接着する。裏面基材にはエンボス加工を施したものを用いると、肌触りがよく、蒸れないので好ましい。この際、伸び率の違いなどによりテンションを解除した後の積層体に素材ごとの復元力がかかり、表示バンド用積層体にカール加工をすることができる。
そして、表示バンド部分を抜き刃によりハーフカット加工し、容易に抜き取ることができるように加工する。印字の際には破断しないが、その後、容易に抜き取りできるように加工することが肝要である。
この点においても、裏面基材に上記所定のエチレン−メタクリル酸メチル共重合体を用いた表示バンド用積層体という構成にすれば、柔軟性と強度とのバランスが良く、該目的を達成することができる。
【実施例】
【００２２】
以下、本発明の実施例を説明するが、本発明はこれによって限定されるものではない。
実施例１
以下に、図を参照しながら、本発明の実施例を説明する。
表示面基材１−１としてＰＰと無機充填材を主原料とし、二軸延伸フィルム成型法によりミクロボイドを発生させながら成膜した、厚さ８０μｍ、伸び率１０６％、密度０．７７の「ユポ（商品名）」（王子油化合成紙株式会社）を、裏面基材１−３として、ＭＭＡ含量２０％のエチレン−メタクリル酸メチル共重合体ペレットを抗菌剤を練り込みつつ、押し出しラミネーションによりフィルム化した、厚さ９０μｍ、伸び率７２０％のエチレン−メタクリル酸メチル共重合体フィルムを用い、長手方向にテンションをかけながら接着剤１−２を用いて複層構造に接着し、総厚２２５μｍの表示バンド用積層体を得た。
この際、裏面基材１−３にはエンボス加工を施したものを用いた。
そして、係止穴を抜きつつ、表示バンド部分２を容易に抜き取ることができるように抜き刃によりハーフカット加工し、巻物にするためにスリット加工し図４のような巻物に整えた。
【００２３】
その後、上記表示バンド用積層体を熱転写プリンタにかけ、必要な情報を印字した後、ハーフカット部分を抜き取り、本発明の表示バンドを得た。
この表示バンドを手首に巻き付け、係止具により容易に係止し、使用することができた。
実施例１の表示バンド用積層体は、柔軟性と強度とのバランスが良く、表面に個別情報の印字が可能で、医療機関、娯楽施設等で個人識別用として、違和感なく、手首、足首等へ良好に取り付けられる、安価で軽量、印字走行性が良好な表示バンド用積層体であった。
また、上記表示バンド用積層体は、表裏素材の伸び率の違いなどにより、テンションを解除した後の積層体に素材ごとの復元力がかかり、表示バンド用積層体に適度なカール加工をすることができた。
また、該カール加工がかかっていても、裏面基材１−３として所定のエチレン−メタクリル酸メチル共重合体フィルムを用いたので、プリンタ印字の際の走行安定性がよいものであった。
また、ハーフカット部分は、印字の際には破断しないが、その後、容易に抜き取りできるように好適に加工されたものであった。
また、適度な破断強度に整えてあるので、不要になった際には手の力で破断させ、廃棄することができるものであった。
【００２４】
実施例２
実施例１の裏面基材１−３をエンボス加工のないものに変更した他は実施例１と同様にして、総厚１８０μｍの表示バンド用積層体を完成した。
【００２５】
実施例３
実施例１の裏面基材１−３を、厚さ１００μｍのエチレン−メタクリル酸メチル共重合体フィルムを用いた他は実施例１と同様にして、総厚２４０μｍの表示バンド用積層体を得た。
【００２６】
実施例４
実施例３の裏面基材１−３をエンボス加工のないものに変更した他は実施例３と同様にして、総厚１９０μｍの表示バンド用積層体を完成した。
【００２７】
実施例５
実施例１の表示面基材１−１に厚さ８８μｍ、伸び率１００％、密度０．７のピーチコート紙を用いた他は実施例１と同様にして総厚２３５μｍの表示バンド用積層体を完成した。
【００２８】
実施例６
実施例１の表示面基材１−１に厚さ１３０μｍ、伸び率１００％、密度１．２のピーチコート紙を用いた他は実施例１と同様にして総厚２８５μｍの表示バンド用積層体を完成した。
【００２９】
実施例７
実施例２の裏面基材１−３に厚さ２００μｍ、伸び率７５０％のエチレン−メタクリル酸メチル共重合体フィルムを用いた他は実施例２と同様にして総厚２９０μｍの表示バンド用積層体を完成した。
【００３０】
上記のように実施例により得られた表示バンド用積層体について、印字性能、装着性、破断性などの各種評価を行った。
【００３１】
上記のように、実施例１〜７のものはいずれも良好な結果を得ることができ、とりわけ、実施例１〜５のものは、非常に良好な結果を得ることができた。
実施例６は表面基材が厚すぎて重く、装着感もやや硬いものであった。
実施例７は裏面基材が厚すぎて、やはり装着感がやや硬いものとなってしまった。
【産業上の利用可能性】
【００３２】
本発明は、医療機関、娯楽施設等で個人を識別するための表示バンドとして用いることができる。特に医療機関などにおいて、医療事故防止のため、入院患者の情報を元に、個人識別用の情報をプリンタ印字し記録した表示バンドとして有効に利用可能である。
【図面の簡単な説明】
【００３３】
【図１】表示バンド用積層体の一例を模式的に表した断面図
【図２】表示バンド用積層体の一例を表した図
【図３】表示バンドを取り外した際の表示バンド用積層体の一例を表した図
【図４】表示バンド用積層体を巻物にした一例を表した斜視図
【符号の説明】
【００３４】
１・・・表示バンド用積層体
１−１・・・表示面基材
１−２・・・接着剤
１−３・・・裏面基剤
２・・・表示バンド
【図１】
0005155707.tif 000002
【図２】
0005155707.tif 000003
【図３】
0005155707.tif 000004
【図４】
0005155707.tif 000005